(57)【要約】【課題】把手を外型で同時に成形でき、しかも手を入れやすいという把手機能を損なうことなく、蓋体がなしの状態で箱本体を積み重ねた際、その密封性を向上させ保冷機能の向上を図る。【解決手段】発泡スチロール等の樹脂で一体に型成形され、底壁３に立設された側壁４により蓋体２が被せられる略矩形の開口５を形成する箱本体１を備え、この箱本体１の底壁３の外側底面に開口５に遊嵌される形状の台部８を突設し、上側の箱本体１の台部８を下側の箱本体１の開口５に遊嵌させて複数の箱本体１を積み重ね可能にし、箱本体１の相対向する一対の側壁４の外側に底壁３の外周面９から矩形凹状に切り欠かれ所定深さ寸法の上面１７，正面１８及び左右の側面１９を有した手が掛けられる把手１６を形成し、この把手１６の正面下縁１８ａを上面１７の深さ寸法位置２５よりも外側に突出させ、底壁３の外周面９と面一に連続する突出面２０を形成するとともに、正面１８を正面下縁１８ａに向かう傾斜面に形成した。【選択図】  図１
2004331185.tif 000002
【特許請求の範囲】
【請求項１】
発泡スチロール等の樹脂で一体に型成形され、略矩形の底壁及び該底壁から立設される側壁を有し該側壁により蓋体が被せられる略矩形の開口を形成する箱本体を備え、該箱本体の底壁の外側底面に上記開口に遊嵌される形状の台部を突設し、上記箱本体を上下に配置し、上側の箱本体の台部を下側の箱本体の開口に遊嵌させ上記上側の箱本体の底面の外周面を上記下側の箱本体の開口の開口端面に当接させて複数の箱本体を積み重ね可能にした保冷箱において、
上記箱本体の相対向する一対の側壁の外側であって該各側壁の中央下側に上記底面の外周面から矩形凹状に切り欠かれ所定深さ寸法の上面，正面及び左右の側面を有した手が掛けられる把手を形成し、
該把手の正面下縁を上記上面の深さ寸法位置よりも外側に突出させ上記底面の外周面と面一に連続する突出面を形成するとともに、上記正面を該上面の最奥位置から上記正面下縁に向かう傾斜面に形成したことを特徴とする保冷箱。
【請求項２】
上記箱本体の把手間方向において、
開口幅寸法Ｌ１
台部幅寸法Ｌ２
台部の開口に対する遊嵌の遊び代寸法ｅ（ｅ＝Ｌ１−Ｌ２）
把手の正面下縁間寸法Ｌ３  としたときに、
Ｌ３＞Ｌ１＋ｅ
なる関係にしたことを特徴とする請求項１記載の保冷箱。
【請求項３】
上記上面の深さ寸法Ｌと上記突出面の突出寸法Ｄとの関係がＤ＜Ｌになるように形成したことを特徴とする請求項１または２記載の保冷箱。
【請求項４】
上記突出寸法Ｄを１ｍｍ≦Ｄ≦１５ｍｍに形成したことを特徴とする請求項３記載の保冷箱。
【請求項５】
上記箱本体の開口が形成される側壁の当該開口の外側に、上記蓋体の外周縁の裏側の一部が露出する凹所を形成したことを特徴とする請求項１，２，３または４記載の保冷箱。
【請求項６】
上記蓋体の表面に、上記箱本体の底壁の台部が遊嵌する形状の凹部を形成し、上記箱本体の底壁に、上記箱本体の内側から外側に貫通する水抜き孔を複数備えたことを特徴とする請求項１，２，３，４または５記載の保冷箱。
【請求項７】
上記箱本体の把手間方向において、
蓋体の凹部幅寸法Ｌ４
台部幅寸法Ｌ２
台部の蓋体の凹部に対する遊嵌の遊び代寸法ｅ’（ｅ’＝Ｌ４−Ｌ２）
把手の正面下縁間寸法Ｌ３  としたときに、
Ｌ３＞Ｌ４＋ｅ’
なる関係にしたことを特徴とする請求項６記載の保冷箱。
【発明の詳細な説明】
【０００１】
【発明の属する技術分野】
本発明は、例えば、水産物等の物品を氷や保冷剤とともに収納して保冷した状態で物品を保管したり輸送する等のために用いられ、発泡スチロール等の樹脂で一体に型成形される保冷箱に関する。
【０００２】
【従来の技術】
従来、この種の保冷箱としては、例えば、特許文献１（特開２０００−２６４３７５号公報）に掲載されたものが知られている。
【０００３】
図１１に示すように、この保冷箱Ｂａは、発泡スチロール等の樹脂で一体に型成形され略矩形状の開口１０１を有した箱本体１００と、この開口１０１に嵌着してこれを閉止する蓋体１０２とを備えている。
蓋体１０２の下面周縁部には嵌合用の凹溝１０３が周設され、この凹溝１０３を箱本体１００の側壁の上端面に周設される嵌合用の凸条１０４に嵌合することで箱本体１００の開口１０１を閉止する。
【０００４】
また、箱本体１００の底面に台部１０５と、蓋体１０２の上面に凹部１０６とが形成され、箱Ｂａを積み重ねたときに、この台部１０５を、下位の蓋体１０２上面の凹部１０６に嵌合し、積み重ねる。また、この台部１０５は箱本体１００の上端面に備えた凸条１０４とも嵌合が可能な形状に形成され、蓋体１０２を被せないで箱Ｂａを積み重ねたときに、この台部１０５を、下位の凸条１０４内に嵌合させて積み重ねる。また、一般に、箱Ｂａを積み重ねる際に、作業性を良くするために、台部１０５を凸条１０４に対して、遊嵌できるように、遊び代を設ける場合が多い。
【０００５】
更に、箱本体１００の相対向する一対の側壁の下部中央部に箱Ｂａを持ち上げるための把手１０７が設けられている。この把手１０７は、各側壁の中央下側に底面の外周面１０８から矩形凹状に切り欠かれ所定深さ寸法の上面１０９，正面１１０及び左右の側面１１１を有している。
把手１０７は、箱本体１００を成形する外型において同時成形される。把手１０７の上面１０９，正面１１０及び左右の側面１１１は、成形型の型抜きの関係上、抜き勾配のついた略垂直な面に形成されている。
また、把手１０７は底面の外周面１０８から切り欠かれているので、手を入れ易く、持ち易いという利点がある。
【０００６】
【特許文献１】
特開２０００−２６４３７５号公報
【０００７】
【発明が解決しようとする課題】
ところで、このような上記従来の保冷箱にあっては、蓋体１０２を被せない状態で箱本体１００を積み重ねる場合、台部１０５の周囲に形成される底面の外周面１０８が凸条１０４の上端の開口端面１０１ａに接して、箱本体１００の内外を隔てることになるが、把手１０７のある部位は把手１０７の深さ寸法Ｌの分だけ外周面１０８の一部が切り欠かれてしまっているので、それだけ開口端面１０１ａに当接する本体の長手方向の外周面１０８の幅も狭くなってしまい、それだけシール性が低くなり、空気が流通し易くなると、内部の氷が溶け易くなり、保冷効果も低下してしまうという問題があった。
特に、台部１０５を凸条１０４に対して、遊嵌できるように遊び代を設けている場合には、この遊び代の分、上下の箱本体１００同士がずれることから、把手１０７と開口１０１との間に隙間が開いてしまう。隙間が開くと、この部位から空気が流通するので、より一層氷が溶け易くなり保冷効果が低減してしまう。
【０００８】
これを解決するために、例えば、図１２に示すように、把手１０７ａを、側壁の中間部に凹設することも考えられるが、これだと、シール性は良くなるが、把手１０７ａの成形用の型を別途設けなければならないので、型が複雑になり作業性も悪くなってコスト高になる。
また、底面の外周面１０８から切り欠いて形成した把手に比較して、手を入れにくくなり、それだけ持ちにくくなり、作業性も低下させてしまうという欠点がある。
【０００９】
本発明は上記の問題点に鑑みて為されたもので、把手を外型で同時に成形でき、しかも手を入れやすいという把手機能を損なうことなく、蓋体がなしの状態で箱本体を積み重ねた際、その密封性を向上させ保冷機能の向上を図った保冷箱を提供することを目的とする。
【００１０】
【課題を解決するための手段】
このような目的を達成するための本発明の保冷箱は、発泡スチロール等の樹脂で一体に型成形され、略矩形の底壁及び該底壁から立設される側壁を有し該側壁により蓋体が被せられる略矩形の開口を形成する箱本体を備え、該箱本体の底壁の外側底面に上記開口に遊嵌される形状の台部を突設し、上記箱本体を上下に配置し、上側の箱本体の台部を下側の箱本体の開口に遊嵌させ上記上側の箱本体の底面の外周面を上記下側の箱本体の開口の開口端面に当接させて複数の箱本体を積み重ね可能にした保冷箱において、
上記箱本体の相対向する一対の側壁の外側であって該各側壁の中央下側に上記底面の外周面から矩形凹状に切り欠かれ所定深さ寸法の上面，正面及び左右の側面を有した手が掛けられる把手を形成し、
該把手の正面下縁を上記上面の深さ寸法位置よりも外側に突出させ上記底面の外周面と面一に連続する突出面を形成するとともに、上記正面を該上面の最奥位置から上記正面下縁に向かう傾斜面に形成している。
【００１１】
正面を上面の最奥位置から正面下縁に向かう傾斜面に形成したので、開口端面に当接する箱本体の把手間方向の外周面の幅が広くなるので、確実に開口端面が外周面及び突出面に当接することができ、それだけ開口端面と外周面とのシール性を高めることができる。そのため、空気が把手部分から箱本体内部に流通しにくくなり、氷や保冷剤が溶けにくくなることから、保冷効果を向上させることができ、保冷箱の中に入れた氷や保冷剤を有効に利用することができ、物品の鮮度を保つことができる。
【００１２】
また、箱本体を製造する際に、成形型の外型に把手成形部が一体に設けられていることから、外型で一時にプレス成形するだけで、把手を成形できるので、別途把手用の型を設けなくてもよく、それだけ、型の点数も少なくて済み、作業工数も増加しないことから、製造が容易になっている。更に、箱本体を製造する際、把手成形部が正面下縁に引っかかることがなく、型抜きを支障なく行なうことができる。
【００１３】
また、必要に応じ、上記箱本体の把手間方向において、
開口幅寸法Ｌ１
台部幅寸法Ｌ２
台部の開口に対する遊嵌の遊び代寸法ｅ（ｅ＝Ｌ１−Ｌ２）
把手の正面下縁間寸法Ｌ３  としたときに、
Ｌ３＞Ｌ１＋ｅ
なる関係にしている。
【００１４】
保冷箱を蓋体なしで積み重ねる際、台部の開口に対する遊び代の分、保冷箱が把手間方向のいずれか一方にずれても、上側の箱本体の把手の正面下縁と下側の箱本体の開口との間に隙間が開かないようにでき、これによっても、空気が把手部分から箱本体内部に流通しにくくなり、氷や保冷剤が溶けにくくなることから、保冷効果を向上させることができ、保冷箱の中に入れた氷や保冷剤を有効に利用することができ、物品の鮮度を保つことができる。
【００１５】
また、必要に応じ、上記上面の深さ寸法Ｌと上記突出面の突出寸法Ｄとの関係がＤ＜Ｌになるように形成している。突出寸法Ｄの分だけ開口端面に当接する箱本体の把手間方向の外周面の幅が広くなるので、確実に開口端面が外周面及び突出面に当接することができ、それだけ開口端面と外周面とのシール性を高めることができるだけでなく、正面下縁が突出し過ぎないことになるので、手の下側からの入れやすさが確保される。更に、箱本体を型から離型する際に、把手成形部が正面下縁に引っかかることがなく、型抜きを支障なく行なうことができる。
【００１６】
更に、必要に応じ、上記突出寸法Ｄを１ｍｍ≦Ｄ≦１５ｍｍに形成している。より確実に開口端面が外周面及び突出面に当接することができ、それだけ開口端面と外周面とのシール性を高めることができる。また、型に正面下縁が引っかからないので、型抜きを支障なく行なうことができる。
より望ましくは、４ｍｍ≦Ｄ≦７ｍｍである。この際には、更に型抜きが支障なく行なえる。
【００１７】
また、必要に応じ、上記箱本体の開口が形成される側壁の当該開口の外側に、上記蓋体の外周縁の裏側の一部が露出する凹所を形成している。保冷箱の蓋体を開ける際、この凹所に手を差し入れて蓋体を開ければよく、蓋体が取り外され易くなっている。
更に、必要に応じ、上記蓋体の表面に、上記箱本体の底壁の台部が遊嵌する形状の凹部を形成し、上記箱本体の底壁に、上記箱本体の内側から外側に貫通する水抜き孔を複数備えている。箱本体に蓋をして積み重ねる場合は、隣接する下方の保冷箱の凹部へ台部を遊嵌するように積み上げて行けばよい。このため、蓋体で蓋をしても左右方向に保冷箱がずれた状態で積み上げられにくくなっている。また、箱本体の水抜き孔を複数備えたので、時間の経過とともに保冷箱内の氷などが溶けてくると、箱本体の水抜き孔により、水等が外部へ排出される。余分な水等を取り除くことができ、保冷を長く持続させることができる。
【００１８】
そして、必要に応じ、上記箱本体の把手間方向において、
蓋体の凹部幅寸法Ｌ４
台部幅寸法Ｌ２
台部の蓋体の凹部に対する遊嵌の遊び代寸法ｅ’（ｅ’＝Ｌ４−Ｌ２）
把手の正面下縁間寸法Ｌ３  としたときに、
Ｌ３＞Ｌ４＋ｅ’
なる関係にしている。
蓋体を被せた保冷箱を積み重ねる際、台部の凹部に対する遊び代の分、保冷箱が把手間方向のいずれか一方にずれても、上側の箱本体の把手の正面下縁と下側の蓋体の凹部との間に隙間が開かないようにでき、これによって、空気が把手部分から蓋体上面と箱本体の底面との間を通って、箱本体の水抜き孔から箱本体内部に流通することが抑止され、氷や保冷剤が溶けにくくなることから、この点でも、保冷効果を向上させることができ、保冷箱の中に入れた氷や保冷剤を有効に利用することができ、物品の鮮度を保つことができる。
【００１９】
【発明の実施の形態】
以下、添付図面に基づいて、本発明の実施の形態に係る保冷箱について詳細に説明する。
図１乃至図１０には、本発明の実施の形態に係る保冷箱を示している。この保冷箱Ｂは、発泡スチロール等の樹脂で一体に型形成される箱本体１と、この箱本体１に被せられる蓋体２とを備えている。
【００２０】
箱本体１は、略矩形の底壁３及びこの底壁３から立設される側壁４とを備え、側壁４により蓋体２が被せられる略矩形の開口５を形成して構成されている。
開口５には、凸状の開口端部６が周設され、開口端部６の上端の開口端面７は平面に形成されている。
【００２１】
箱本体１の底壁３の外側底面には、開口５に遊嵌される形状の台部８が突設され、台部８の周囲に外周面９を形成している。
台部８は、外周縁が略矩形状に形成され、内側左右に凹面部１０を有し、４隅の内側には略円形な凹所１１が備えられ、凹所１１から台部８の隅に向かって切り欠かれた切欠き溝１２が設けられている。
箱本体１の各凹所１１には、箱本体１の内側に貫通する水抜き孔１３が備えられている。この水抜き孔１３は、水産物等の物品を氷と一緒に詰めた際に生じる水産物のドリップや氷が溶けてなる水等の排水を排出する。
【００２２】
また、図６に示すように、箱本体１の側壁４の４つの角部において、蓋体２が被せられた状態の保冷箱Ｂを複数積み重ねた際に、上位の保冷箱Ｂの水抜き孔１３から排出された排水を後述の蓋体２に設けた貫通口２４を通って下位の保冷箱Ｂを通して外部に排水するための貫通孔１５が、開口端面７から底壁３の外周面９に向けて形成されている。
【００２３】
また、箱本体１の相対向する一対の側壁４の外側であって、各側壁４の中央下側に底面の外周面９から矩形凹状に切り欠かれ、これに手を掛けて箱Ｂを持ち上げる把手１６が形成されている。把手１６は、図４及び図８に示すように、所定深さ寸法Ｌの上面１７と、正面１８と、向かい合う左右の側面１９とを備えている。そして、把手１６の正面下縁１８ａを上面１７の深さ寸法位置２５よりも外側に突出させて外側底面の外周面９と面一に連続する突出面２０を形成するとともに、把手１６の正面１８を上面１７の最奥位置から正面下縁１８ａに向かう傾斜面に形成している。
【００２４】
詳しくは、図８及び図９に示すように、箱本体１の把手１６間方向において、
開口幅寸法Ｌ１
台部幅寸法Ｌ２
台部の開口５に対する遊嵌の遊び代寸法ｅ（ｅ＝Ｌ１−Ｌ２）
把手１６の正面下縁間寸法Ｌ３  としたときに、
Ｌ３＞Ｌ１＋ｅ
なる関係にしている。
具体的には、例えば、Ｌ１＝５０１ｍｍ，Ｌ２＝４９９ｍｍ，ｅ＝Ｌ１−Ｌ２＝２ｍｍ，Ｌ３＝５２０ｍｍとしている。
この条件により、図９に示すように、保冷箱Ｂを蓋体２なしで積み重ねる際、台部８の開口５に対する遊び代の分、保冷箱Ｂが把手１６間方向のいずれか一方にずれても、上側の箱本体１の把手１６の正面下縁１８ａと下側の箱本体１の開口５との間に隙間が開かない。
【００２５】
また、上面１７の深さ寸法Ｌと突出面２０の突出寸法Ｄとの関係がＤ＜Ｌになるように形成している。この条件により、正面下縁１８ａが突出し過ぎないことになるので、手の下側からの入れやすさが確保される。
そして、突出寸法Ｄを１ｍｍ≦Ｄ≦１５ｍｍに形成している。これにより、より確実に開口端面７が外周面９及び突出面２０に当接することができ、それだけ開口端面７と外周面９とのシール性を高めることができる。また、より望ましくは突出寸法Ｄを４ｍｍ≦Ｄ≦７ｍｍに形成する。離型が容易になる。
具体的には、例えば、Ｌ＝２０ｍｍ，Ｄ＝５ｍｍとしている。
【００２６】
また、把手１６の上面１７は、その外側縁２６を下方に突出させて、上面１７を上面１７の最奥位置から外側縁２６に向かう傾斜面に形成している。これにより、正面１８に掛けた手が外れにくくなる。
箱本体１の開口５の外側には、箱本体１に被せられた蓋体２が取り外し易いよう、蓋体２の外周縁の裏面の一部が露出する凹所２１が形成されている。蓋体２を開ける際は、この凹所２１に手を差し入れて蓋体２を開ける。
【００２７】
蓋体２は、箱本体１と同一の樹脂で略矩形状に型抜き成形されている。蓋体２の表面には、箱本体１の底壁３の台部８が遊嵌する形状の凹部２２が形成されるとともに、裏面には、箱本体１の開口端部６が嵌合する嵌合部２３が備えられている。
蓋体２の４隅には、蓋体２の表面から裏面に向けて箱本体１の貫通孔１５に連通する同軸の貫通口２４が備えられている。
【００２８】
また、蓋体２は、図１０に示すように、箱本体１の把手間方向において、
蓋体の凹部幅寸法Ｌ４
台部幅寸法Ｌ２
台部の蓋体の凹部に対する遊嵌の遊び代寸法ｅ’（ｅ’＝Ｌ４−Ｌ２）
把手の正面下縁間寸法Ｌ３  としたときに、
Ｌ３＞Ｌ４＋ｅ’
なる関係にしている。
具体的には、例えば、Ｌ２＝４９９ｍｍ，Ｌ４＝５０４ｍｍ，ｅ’＝Ｌ４−Ｌ２＝５ｍｍ，Ｌ３＝５２０ｍｍとしている。
この条件により、図１０に示すように、蓋体２を被せた保冷箱Ｂを積み重ねる際、台部８の凹部２２に対する遊び代の分、保冷箱Ｂが把手１６間方向のいずれか一方にずれても、上側の箱本体１の把手１６の正面下縁１８ａと下側の保冷箱Ｂの凹部２２との間に隙間が開かない。
【００２９】
次に、本発明の実施の形態に係る保冷箱Ｂの箱本体１を製造する場合について説明する。この箱本体１の製造においては、図７に示すような成形型Ｋを用いる。この成形型Ｋは、箱本体１の内側，開口端部６や凹所２１等を成形する内型３０と、箱本体１の外側，把手１６や台部８等を成形する外型３１とを備え、発泡スチロールを一時にプレス成形する。
特に、外型３１においては、把手１６を成形する把手成形部３２が一体に設けられている。
【００３０】
この場合、把手成形部３２が一体に設けられており、離型の際に、把手成形部３２が突出した正面下縁１８ａに当接して抜けが阻止されようとするが、把手１６の上面１７の深さ寸法Ｌと突出面２０の突出寸法Ｄとの関係がＤ＜Ｌになるように形成されかつ正面１８が斜めに形成されており、発泡スチロールに弾性があることから、把手成形部３２が正面下縁１８ａに引っかかることがなく、型抜きを支障なく行なうことができる。
また、突出寸法Ｄを１ｍｍ≦Ｄ≦１５ｍｍに形成したので、把手成形部３２が正面下縁１８ａに引っかかることがなく、これによっても型抜きを支障なく行なうことができる。より望ましくは、４ｍｍ≦Ｄ≦７ｍｍである。この場合には更に型抜きが支障なく行なえる。
更に、把手成形部３２が一体に設けられていることから、外型３１で一時にプレス成形するだけで、把手１６を成形できるので、別途把手１６用の型を設けなくてもよく、それだけ、型の点数も少なくて済み、作業工数も増加しないことから、製造が容易になっている。
【００３１】
次にまた、このように成形された本発明の実施の形態に係る保冷箱Ｂを積み重ねて用いる場合について説明する。先ず、図８に示すように、複数の箱本体１を蓋体２を被せない状態で積み重ねる場合は、上側の箱本体１の台部８を下側の箱本体１の開口５に遊嵌させ上側の箱本体１の底面の外周面９を下側の箱本体１の開口５の開口端面７に当接させて積み重ねる。
【００３２】
この際、図４及び図８に示すように、把手１６の下方において、上側の箱本体１の外周面９が下側の箱本体１の開口端面７に接する幅は、深さ寸法Ｌの分切り欠かれているので小さくなるが、上記従来の例と比較して、突出寸法Ｄの分だけ開口端面７に当接する箱本体１の把手１６間方向の外周面９の幅が広くなるので、確実に開口端面７が外周面９及び突出面２０に当接することができ、それだけ開口端面７と外周面９とのシール性を高めることができる。そのため、空気が把手１６部分から箱本体１内部に流通しにくくなり、氷や保冷剤が溶けにくくなることから、保冷効果を向上させることができ、保冷箱Ｂの中に入れた氷や保冷剤を有効に利用することができ、物品の鮮度を保つことができる。
【００３３】
更に、上記のように、Ｌ３＞Ｌ１＋ｅなる関係に形成されているので、図８及び図９に示すように、保冷箱Ｂを蓋体２なしで積み重ねる際、台部８の開口５に対する遊び代の分、保冷箱Ｂが把手１６間方向のいずれか一方にずれても、上側の箱本体１の把手１６の正面下縁１８ａと下側の箱本体１の開口５との間に隙間が開かないようにでき、これによっても、空気が把手１６部分から箱本体１内部に流通しにくくなり、氷や保冷剤が溶けにくくなることから、保冷効果を向上させることができ、保冷箱Ｂの中に入れた氷や保冷剤を有効に利用することができ、物品の鮮度を保つことができる。
【００３４】
また、この保冷箱Ｂを持ち上げる場合は、把手１６に手を差し入れて上面１７に手を掛けて持ち上げる。この際、把手１６は、底壁３の外周面９から矩形凹状に切り欠いて形成されているので、側壁４の中間部に凹設した場合と比較して、手が入れ易くなっており、作業性が向上させられる。
この場合、把手１６の正面下縁１８ａが突出しており、この部位に手が当たろうとするが、把手１６の上面１７の深さ寸法Ｌと突出面２０の突出寸法Ｄとの関係がＤ＜Ｌになるように形成されているので、それだけ把手１６の正面下縁１８ａに手が引っかかりにくくなっており、しかも、正面１８が斜めに形成されていることから、正面１８の傾斜面に沿って指が上面１７に導かれ、そのため、持ち上げ作業を支障なく行なうことができる。
【００３５】
把手１６の上面１７に手が掛けられた状態では、上面１７の外側縁２６が下方に突設され上面１７が下向きの傾斜面になっているので、手が掛かり易く手から滑り落ちて外れにくくなり、それだけ、箱Ｂの持ち運びの作業性が向上する。
【００３６】
また、箱本体１に蓋体２を被せる場合は、図１０に示すように、嵌合部２３に開口端部６を嵌合して開口５を閉じる。開口５からの空気の流通を確実に遮断することができる。
蓋体２を取り外す際は、凹所２１へ手を差し入れて蓋体２を取り外す。
箱本体１に蓋体２をして積み重ねる場合は、図１０に示すように、隣接する下方の保冷箱Ｂの凹部２２へ台部８を遊嵌するように積み重ねて行けばよい。このため、保冷箱Ｂがずれた状態で積み重ねられ難くなる。
【００３７】
積み重ねた状態において、時間の経過とともに保冷箱Ｂ内の氷などが溶けてくると、箱本体１には水抜き孔１３があるので、ここから排出される。この場合、排水された水等は、その下側の蓋体２の貫通口２４及び箱本体１の貫通孔１５を通って積み重ねた保冷箱Ｂの最下端の保冷箱Ｂまで導かれ、外部に排水される。そのため、余分な水等を取り除くことができ、保冷を長く持続させることができる。
更にまた、蓋体２をして積み重ねた状態において、Ｌ３＞Ｌ４＋ｅ’なる関係に形成されているので、図１０に示すように、台部８の凹部２２に対する遊び代の分、保冷箱Ｂが把手１６間方向のいずれか一方にずれても、上側の箱本体１の把手１６の正面下縁１８ａと下側の蓋体２の凹部２２との間に隙間が開かないようにできる。これにより、空気が、把手１６部分から水抜き孔１３を通り、箱本体１内部に流通しにくくなり、氷や保冷剤が溶けにくくなることから、保冷効果を向上させることができ、保冷箱Ｂの中に入れた氷や保冷剤を有効に利用することができ、物品の鮮度を保つことができる。
【００３８】
尚、上記実施の形態において、箱本体１に水抜き孔１３を設けているが、必ずしもこれに限定されるものでなく、ないものに本発明を適用してよい。また、上記実施の形態において、箱本体１に貫通孔１５を設け、蓋体２に貫通口２４を設けているが、必ずしもこれに限定されるものでなく、ないものに本発明を適用できることは勿論である。
【００３９】
【発明の効果】
以上説明したように、本発明の保冷箱によれば、箱本体の相対向する一対の側壁の外側であって各側壁の中央下側に底面の外周面から矩形凹状に切り欠かれ所定深さ寸法の上面，正面及び左右の側面を有した手が掛けられる把手を形成し、把手の正面下縁を上面の深さ寸法位置よりも外側に突出させ底面の外周面と面一に連続する突出面を形成するとともに、正面を上面の最奥位置から正面下縁に向かう傾斜面に形成したので、空気を把手部分から箱本体内部に流通させにくくでき、このため、氷や保冷剤が溶けにくくなることから、保冷効果を向上させることができ、保冷箱の中に入れた氷や保冷剤を有効に利用することができ、物品の鮮度を保つことができる。また、箱本体を製造する際、把手成形部が正面下縁に引っかかることがなく、型抜きを支障なく行なうことができる。更に、把手に手が入れ易くなっており、作業性が向上させられる。
【００４０】
また、把手成形部が一体に設けられた成形型で一時にプレス成形するだけで、把手を成形できるので、別途把手用の型を設けなくてもよく、それだけ、型の点数も少なくて済み、作業工数も増加しないことから、製造が容易になっている。
【００４１】
また、箱本体の把手間方向において、
開口幅寸法Ｌ１
台部幅寸法Ｌ２
台部の開口に対する遊嵌の遊び代寸法ｅ（ｅ＝Ｌ１−Ｌ２）
把手の正面下縁間寸法Ｌ３  としたときに、
Ｌ３＞Ｌ１＋ｅ
なる関係にした場合には、保冷箱を蓋体なしで積み重ねる際、台部の開口に対する遊び代の分、保冷箱が把手間方向のいずれか一方にずれても、上側の箱本体の把手の正面下縁と下側の箱本体の開口との間に隙間が開かないようにでき、これによっても、空気が把手部分から箱本体内部に流通しにくくなり、氷や保冷剤が溶けにくくなることから、保冷効果を向上させることができ、保冷箱の中に入れた氷や保冷剤を有効に利用することができ、物品の鮮度を保つことができる。
【００４２】
また、上面の深さ寸法Ｌと突出面の突出寸法Ｄとの関係がＤ＜Ｌになるように形成した場合には、開口端面と外周面とのシール性を高めることができるだけでなく、正面下縁が突出し過ぎないことになるので、手の下側からの入れやすさが確保される。更に、箱本体を型から離型する際に、把手成形部が正面下縁に引っかかることがなく、型抜きを支障なく行なうことができる。また、この保冷箱を持ち上げる際、把手の正面下縁に手が引っかかりにくくなり、持ち上げ作業を支障なく行なうことができる。
【００４３】
更に、突出寸法Ｄを１ｍｍ≦Ｄ≦１５ｍｍに形成した場合には、より確実に開口端面が外周面及び突出面に当接することができ、それだけ開口端面と外周面とのシール性を高めることができる。
【００４４】
また、箱本体の開口の外側に蓋体の外周縁の裏側の一部が露出する凹所を形成した場合には、保冷箱の蓋体を開ける際、この凹所に手を差し入れて蓋体を開ければよく、蓋体を取り外し易くすることができる。
また、蓋体の表面に、箱本体の底壁の台部が遊嵌する形状の凹部を形成し、箱本体の底壁に、箱本体の内側から外側に貫通する水抜き孔を複数備えた場合には、蓋体を閉めた状態で保冷箱を積み重ねても、保冷箱が左右方向にずれた状態で積み重ねられにくくすることができる。更に、水抜き孔から箱本体内の余分な水等を取り除くことができ、保冷を長く持続させることができる。
【００４５】
そして、箱本体の把手間方向において、
蓋体の凹部幅寸法Ｌ４
台部幅寸法Ｌ２
台部の蓋体の凹部に対する遊嵌の遊び代寸法ｅ’（ｅ’＝Ｌ４−Ｌ２）
把手の正面下縁間寸法Ｌ３  としたときに、
Ｌ３＞Ｌ４＋ｅ’
なる関係にした場合には、蓋体を被せた保冷箱を積み重ねる際、台部の凹部に対する遊び代の分、保冷箱が把手間方向のいずれか一方にずれても、上側の箱本体の把手の正面下縁と下側の蓋体の凹部との間に隙間が開かないようにでき、これによって、空気が把手部分から蓋体上面と箱本体の底面との間を通って、箱本体の水抜き孔から箱本体内部に流通することが抑止され、氷や保冷剤が溶けにくくなることから、この点でも、保冷効果を向上させることができ、保冷箱の中に入れた氷や保冷剤を有効に利用することができ、物品の鮮度を保つことができる。
【図面の簡単な説明】
【図１】本発明の実施の形態に係る保冷箱を示す下方からの斜視図である。
【図２】本発明の実施の形態に係る保冷箱を示す上方からの斜視図である。
【図３】本発明の実施の形態に係る保冷箱の箱本体を示し、上方及び下方からの正面図である。
【図４】本発明の実施の形態に係る保冷箱の箱本体の一側面から見た側面半断面図である。
【図５】本発明の実施の形態に係る保冷箱の箱本体の把手が形成された他側面から見た側面半断面図である。
【図６】本発明の実施の形態に係る保冷箱の箱本体において、図３中Ａ−Ａ線視断面図である。
【図７】本発明の実施の形態に係る保冷箱の箱本体を製造する際に用いられる成形型の一例を示す断面図である。
【図８】本発明の実施の形態に係る保冷箱において蓋体なしで積み重ねた場合を示す断面図である。
【図９】本発明の実施の形態に係る保冷箱において蓋体なしで積み重ねた場合を示す図であって、把手間方向にずれた状態を示す断面図である。
【図１０】本発明の実施の形態に係る保冷箱において蓋体を被せて積み重ねた場合を示す図であって、把手間方向にずれた状態を示す断面図である。
【図１１】従来の保冷箱の一例を示す図である。
【図１２】従来の保冷箱の別の一例を示す図である。
【符号の説明】
Ｂ  保冷箱
Ｌ１  開口幅寸法
Ｌ２  台部幅寸法
Ｌ３  正面下縁間寸法
Ｌ４  凹部幅寸法
ｅ  遊び代寸法
ｅ’  遊び代寸法
Ｌ  深さ寸法
Ｄ  突出寸法
Ｋ  成形型
１  箱本体
２  蓋体
５  開口
７  開口端面
８  台部
９  外周面
１３  水抜き孔
１５  貫通孔
１６  把手
１７  上面
１８  正面
１８ａ  正面下縁
１９  側面
２０  突出面
２１  凹所
２２  凹部
２４  貫通口
３０  内型
３１  外型
３２  把手成形部
【図１】
2004331185.tif 000003
【図２】
2004331185.tif 000004
【図３】
2004331185.tif 000005
【図４】
2004331185.tif 000006
【図５】
2004331185.tif 000007
【図６】
2004331185.tif 000008
【図７】
2004331185.tif 000009
【図８】
2004331185.tif 000010
【図９】
2004331185.tif 000011
【図１０】
2004331185.tif 000012
【図１１】
2004331185.tif 000013
【図１２】
2004331185.tif 000014